(57)【要約】【課題】通信装置に所望のネットワーク構成の設定を行わせつつ、通信装置と自動的に通信を確立することができる情報装置を提供する。【解決手段】情報装置２００は、通信装置１００と第１の通信及び第２の通信を介して通信可能な情報装置であって、前記通信装置１００に対し、前記第２の通信を介するネットワーク構成の設定を行わせるために必要な接続形態情報を、前記情報装置２００の通信形態に応じて生成するコントローラと、前記通信装置に対して前記第１の通信を介して前記接続形態情報を送る通信部と、を備える。【選択図】図４
2018133793.tif 000002
【特許請求の範囲】
【請求項１】
通信装置と第１の通信及び第２の通信を介して通信可能な情報装置であって、
前記通信装置に対し、前記第２の通信を介するネットワーク構成の設定を行わせるために必要な接続形態情報を、前記情報装置の通信形態に応じて生成するコントローラと、
前記通信装置に対して前記第１の通信を介して前記接続形態情報を送る通信部と、
を備えた、
情報装置。
【請求項２】
前記接続形態情報は、前記通信装置がアクセスポイント及びステーションのいずれであるかを示す情報と、無線アクセスポイントの有無の情報と、を含む、請求項１記載の情報装置。
【請求項３】
前記通信部は、前記通信装置に対して前記第１の通信を介して前記通信装置を起動させる起動信号を送る、請求項１記載の情報装置。
【請求項４】
情報装置と第１の通信及び第２の通信を介して通信可能な通信装置であって、
前記情報装置から、前記第１の通信を介して、前記第２の通信を介するネットワーク構成の設定を行うために必要な接続形態情報を受信する通信部と、
前記通信部で受信した前記接続形態情報に応じて、前記情報装置と前記第２の通信を開始するコントローラと、を備えた、
通信装置。
【請求項５】
前記接続形態情報は、前記通信装置がアクセスポイント及びステーションのいずれであるかを示す情報と、無線アクセスポイントの有無の情報と、を含む、請求項４記載の通信装置。
【請求項６】
前記通信部は、前記情報装置から前記第１の通信を介して前記通信装置を起動させる起動信号を受信する、請求項４記載の通信装置。
【請求項７】
情報装置と第１の通信及び第２の通信を介して通信可能な通信装置の通信方法であって
前記通信装置は、前記情報装置から前記第１の通信を介して起動信号を受けて起動し、
前記通信装置は、自身がアクセスポイント及びステーションのいずれで動作するかを選択して前記情報装置と前記第２の通信を行う、
通信装置の通信方法。
【請求項８】
前記通信装置以外に通信可能な前記アクセスポイントがある場合、前記通信装置は、自身を前記ステーションとして選択し、前記通信装置以外に通信可能な前記アクセスポイントが無い場合、前記通信装置は、自身を前記アクセスポイントとして選択して、前記情報装置と前記第２の通信を行う、請求項７に記載の通信装置の通信方法。
【発明の詳細な説明】
【技術分野】
【０００１】
本開示は、情報装置の通信形態に応じて通信装置と自動的に通信を確立するネットワーク機器連携技術に関する。
【背景技術】
【０００２】
通信規格ＩＥＥＥ８０２．１１を利用する無線ＬＡＮが普及している。無線ＬＡＮ（Ｌｏｃａｌ  Ａｒｅａ  Ｎｅｔｗｏｒｋ）ネットワークを構成するためには、無線ＬＡＮの識別情報であるＳＳＩＤ（Ｓｅｒｖｉｃｅ  Ｓｅｔ  Ｉｄｅｎｔｉｆｉｅｒ）及び無線ＬＡＮのセキュリティに関する情報を含む通信パラメータを通信装置に設定する必要がある。無線ＬＡＮ通信用の通信パラメータの設定方法は、特許文献１に記載されている。
【先行技術文献】
【特許文献】
【０００３】
【特許文献１】特開２０１６−３２２８０号公報
【発明の概要】
【発明が解決しようとする課題】
【０００４】
本開示は、情報装置の多様な通信形態に応じて通信装置と自動的に通信を確立することで、ネットワーク機器の連携を図り易くする。
【課題を解決するための手段】
【０００５】
本開示の情報装置は、通信装置と第１の通信及び第２の通信を介して通信可能な情報装置であって、前記通信装置に対し、前記第２の通信を介するネットワーク構成の設定を行わせるために必要な接続形態情報を、前記情報装置の通信形態に応じて生成するコントローラと、前記通信装置に対して前記第１の通信を介して前記接続形態情報を送る通信部と、を備える。
【０００６】
本開示の通信装置は、情報装置と第１の通信及び第２の通信を介して通信可能な通信装置であって、前記情報装置から、前記第１の通信を介して、前記第２の通信を介するネットワーク構成の設定を行うために必要な接続形態情報を受信する通信部と、前記通信部で受信した前記接続形態情報に応じて前記情報装置と前記第２の通信を開始する制御部と、を備える。
【０００７】
本開示の通信装置の通信方法は、情報装置と第１の通信及び第２の通信を介して通信可能な通信装置の通信方法であって、前記通信装置は、前記情報装置から前記第１の通信を介して起動信号を受けて起動し、前記通信装置は、自身がアクセスポイント及びステーションのいずれで動作するかを選択して前記情報装置と前記第２の通信を行う。
【発明の効果】
【０００８】
本開示にかかる情報装置は、接続形態情報に基づいて通信装置に所望のネットワーク構成の設定を行わせつつ、通信装置と自動的に通信を確立するのに有効である。
【０００９】
また本開示にかかる通信装置は、接続形態情報に基づいてネットワーク構成の設定を行いつつ、情報装置と自動的に通信を確立するのに有効である。
【００１０】
また本開示にかかる通信装置の通信方法は、接続形態情報に基づいてネットワーク構成の設定を行いつつ、通信装置が情報装置と自動的に通信を確立するのに有効である。
【図面の簡単な説明】
【００１１】
【図１】図１は、実施の形態１にかかるデジタルカメラとスマートフォンとの接続形態の一例を示す図である。
【図２】図２は、デジタルカメラの電気的構成図である。
【図３】図３は、スマートフォンの電気的構成図である。
【図４】図４は、スマートフォンとデジタルカメラとの間での通信動作を示すシーケンス図である。
【図５】図５は、スマートフォンの通信形態に応じて接続形態情報を生成する動作を示すフローチャートである。
【図６】図６は、デジタルカメラをＷａｋｅＵｐする前のネットワーク構成を示す図である。
【図７】図７は、接続形態情報の一例を示す図である。
【図８】図８は、デジタルカメラがＷｉ−Ｆｉ接続を確立した後のネットワーク構成を示す図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
［実施の形態１］
実施の形態１では、情報装置の多様な通信形態に応じて通信装置のネットワーク構成を自動で設定出来る。これにより、情報装置と通信装置との連携操作がスムーズに行われる。具体的には、実施の形態１では、情報装置としてスマートフォン、通信装置としてデジタルカメラを例に挙げて説明する。そして実施の形態１では、たとえばデジタルカメラは、スマートフォンからの起動信号に応じて起動すると、スマートフォンの多様な通信形態に応じて、自動的に、より通信容量の大きい通信（例えばＷｉ−Ｆｉ）のネットワークに接続され、スマートフォンと通信できる。これによりユーザは、デジタルカメラで撮影した画像データを、スマートフォンで再生、加工、あるいはネットワーク上にアップロードできる。あるいはユーザは、デジタルカメラで撮影する際に、スマートフォンで遠隔からズームやフォーカシング等のデジタルカメラの操作ができる。以下、図１〜図７を用いて、実施の形態１について説明する。
【００１４】
図１は、実施の形態１にかかるデジタルカメラ１００（通信装置）とスマートフォン２００（情報装置）との接続形態の一例を示す図である。
【００１５】
実施の形態１にかかるスマートフォン２００は、デジタルカメラ１００に対して第１の通信（たとえば、Ｂｌｕｅｔｏｏｔｈ（登録商標、以下同様）  Ｌｏｗ  Ｅｎｅｒｇｙ;ＢＴ−ＬＥ通信）でＷａｋｅＵｐ信号（起動信号）を送ってデジタルカメラ１００を自動起動させる。その後にスマートフォン２００は、デジタルカメラ１００に対して第１の通信でスマートフォン２００の通信形態に応じて生成された接続情報を送る。デジタルカメラ１００は接続情報に応じてネットワーク構成を決定し第２の通信（たとえば、Ｗｉ−Ｆｉ通信）を開始する。これにより、スマートフォン２００は、デジタルカメラ１００に対して所望のネットワーク構成を設定させることができる。
【００１６】
以下、実施の形態１にかかるデジタルカメラ１００及びスマートフォン２００の構成と、動作について説明する。
【００１７】
［１．構成］
以下図を用いて、実施の形態１にかかるデジタルカメラ１００及びスマートフォン２００の構成を説明する。
【００１８】
［１−１．デジタルカメラの構成］
図２は、デジタルカメラ１００の電気的構成図である。デジタルカメラ１００は、光学系１１０を介して形成された被写体像をＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ１１５で撮像する。ＣＭＯＳイメージセンサ１１５は、撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データを、カードスロット１４０に装着されたメモリカード１４５に記録する。また、コントローラ１３５は、使用者による操作部１５０の操作を受け付けて、メモリカード１４５に記録された画像データを液晶モニタ１３０上に表示させること（再生）ができる。
【００１９】
光学系１１０は、フォーカスレンズ、ズームレンズ、光学式手ぶれ補正レンズ（Ｏｐｔｉｃａｌ  Ｉｍａｇｅ  Ｓｔａｂｉｌｉｚｅｒ：ＯＩＳ）、絞り、シャッタ等を含む。光学系１１０に含まれる各種レンズの枚数は、何枚でもよい。また光学系１１０は、それぞれ複数のレンズで構成された複数のユニットで構成されていてもよい。
【００２０】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミング及び電子シャッタ動作は、コントローラ１３５によって制御される。なお、実施の形態１のデジタルカメラ１００には、撮像素子としてＣＭＯＳイメージセンサが搭載されているが、撮像素子はＣＭＯＳイメージセンサに限定されない。撮像素子として、ＣＣＤ（Ｃｈａｒｇｅ  Ｃｏｕｐｌｅｄ  Ｄｅｖｉｃｅ）イメージセンサやＮＭＯＳ（ｎ-Ｃｈａｎｎｅｌ  Ｍｅｔａｌ-Ｏｘｉｄｅ  Ｓｅｍｉｃｏｎｄｕｃｔｏｒ）イメージセンサなど、他のイメージセンサが用いられてもよい。
【００２１】
画像処理部１２０は、ＣＭＯＳイメージセンサ１１５から出力された撮像データに各種の処理を施して、画像データを生成する。また画像処理部１２０は、メモリカード１４５から読み出した画像データに各種の処理を施して、液晶モニタ１３０に表示するための画像を生成する。各種の処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成されてもよいし、プログラムを用いたマイクロコンピュータなどで構成されてもよい。
【００２２】
液晶モニタ１３０は、デジタルカメラ１００の背面に備わる。液晶モニタ１３０は、画像処理部１２０にて処理された画像データに基づく画像を表示する。なお、液晶モニタは、表示装置の一例であり、表示装置として、有機ＥＬ（Ｅｌｅｃｔｒｏ  Ｌｕｍｉｎｅｓｃｅｎｃｅ）モニタなど、他のモニタを用いてもよい。
【００２３】
コントローラ１３５は、デジタルカメラ１００全体の動作を統括制御する。コントローラ１３５は、ハードワイヤードな電子回路で構成してもよいし、マイクロコンピュータなどで構成してもよい。また、コントローラ１３５は、画像処理部１２０などと共に１つの半導体チップで構成されてもよい。またコントローラ１３５は、内部にＲＯＭ（Ｒｅａｄ  Ｏｎｌｙ  Ｍｅｍｏｒｙ）を有している。ＲＯＭには、他の通信機器とのＷｉ−Ｆｉ通信を確立するために必要なＳＳＩＤ（Ｓｅｒｖｉｃｅ  Ｓｅｔ  Ｉｄｅｎｔｉｆｉｅｒ）、パスワードとなるＷＰＡ（Ｗｉ−Ｆｉ  Ｐｒｏｔｅｃｔｅｄ  Ａｃｃｅｓｓ）キーが記憶されている。コントローラ１３５は、必要に応じて、ＲＯＭからＳＳＩＤ、ＷＰＡキーを読み出すことができる。また、ＲＯＭには、オートフォーカス制御（ＡＦ制御）や、通信制御に関するプログラム（つまり機器組み込みであってＢＴ−ＬＥ通信およびＷｉ−Ｆｉ通信の通信制御を行う通信制御アプリ１３６）の他、デジタルカメラ１００全体の動作を統括制御するためのプログラムが記憶されている。
【００２４】
バッファメモリ１２５は、画像処理部１２０やコントローラ１３５のワークメモリとして機能する記憶媒体である。バッファメモリ１２５は、ＤＲＡＭ（Ｄｙｎａｍｉｃ  Ｒａｎｄｏｍ  Ａｃｃｅｓｓ  Ｍｅｍｏｒｙ）などにより実現される。
【００２５】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録素子を備えた外部メモリである。メモリカード１４５は、画像処理部１２０で生成される画像データなどのデータを格納できる。
【００２６】
二次電池１４７は、デジタルカメラ１００に電力を供給するための充電池である。例えば、デジタルカメラ１００においては、リチウムイオン電池で構成される。
【００２７】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２８】
Ｗｉ−Ｆｉモジュール１５５は、通信規格ＩＥＥＥ８０２．１１に準拠した通信を行う通信モジュールである。デジタルカメラ１００は、Ｗｉ−Ｆｉモジュール１５５を介して、Ｗｉ−Ｆｉモジュールを搭載した他の通信機器と通信することができる。デジタルカメラ１００は、Ｗｉ−Ｆｉモジュール１５５を介して、他の通信機器と直接通信を行ってもよいし、アクセスポイント経由で通信を行ってもよい。
【００２９】
Ｂｌｕｅｔｏｏｔｈモジュール１６０（通信部）は、通信規格８０２．１５．１すなわち、Ｂｌｕｅｔｏｏｔｈに準拠した通信を行う通信モジュールである。Ｂｌｕｅｔｏｏｔｈモジュール１６０は、比較的通信ビットレートが高く、通信エリアが数メートル以上である通信が可能である。本実施の形態では、Ｂｌｕｅｔｏｏｔｈモジュール１６０は、ＢＬＥ（Ｂｌｕｅｔｏｏｔｈ  Ｌｏｗ  Ｅｎｅｒｇｙ）と呼ばれる省電力機能を備え、長時間使用に適するバージョン４．０と、電波到達距離が長く家中にしっかり電波が届くＣｌａｓｓ１をサポートする。
【００３０】
［１−２．スマートフォンの構成］
図３は、スマートフォン２００の電気的構成図である。スマートフォン２００は、画像処理部２０５にて生成された画像データが示す画像を、液晶モニタ２１５に表示することができる。液晶モニタ２１５の表面にはタッチパネル２１０が配置されており、使用者によるタッチ操作を受け付けることができる。また、スマートフォン２００は操作部２３０を有し、操作部２３０上でタッチパネル２１０による操作以外の操作を行うことができる。コントローラ２２５は、Ｗｉ−Ｆｉモジュール２３５、Ｂｌｕｅｔｏｏｔｈモジュール２４０を介して、他の通信機器と通信することができる。
【００３１】
画像処理部２０５は、フラッシュメモリ２４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００３２】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０の方式は、抵抗膜方式でも、静電容量方式でも、他の方式であっても構わない。
【００３３】
液晶モニタ２１５は、コントローラ２２５から指示された画面を表示する表示デバイスである。
【００３４】
バッファメモリ２２０は、コントローラ２２５が各種処理動作を実行するために必要な情報を一時的に格納するメモリである。
【００３５】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、フラッシュメモリ２４５、Ｗｉ−Ｆｉモジュール２３５及びＢｌｕｅｔｏｏｔｈモジュール２４０に電気的に接続されている。コントローラ２２５は、ハードワイヤードな電子回路で構成されてもよいし、マイクロコンピュータなどで構成されてもよい。また、コントローラ２２５は、画像処理部２０５などと共に１つの半導体チップで構成されてもよい。また、コントローラ２２５は内部にＲＯＭを有している。ＲＯＭには、他の通信機器とのＷｉ−Ｆｉ通信を確立するために必要なＳＳＩＤ、ＷＰＡキーが記憶されている。コントローラ２２５は、必要に応じて、ＲＯＭからＳＳＩＤ、ＷＰＡキーを読み出すことができる。また、ＲＯＭには、通信制御に関するプログラム、ＢＴ−ＬＥ通信およびＷｉ−Ｆｉ通信の通信制御を行う通信制御アプリ２２６の他、スマートフォン２００全体の動作を統括制御するためのプログラムが記憶されている。通信制御アプリ２２６はスマートフォン２００を購入後にＲＯＭにインストールされる。
【００３６】
Ｗｉ−Ｆｉモジュール２３５は、通信規格ＩＥＥＥ８０２．１１に準拠した通信を行う通信モジュールである。スマートフォン２００は、Ｗｉ−Ｆｉモジュール２３５を介して、Ｗｉ−Ｆｉモジュールを搭載した他の通信機器と通信することができる。スマートフォン２００は、Ｗｉ−Ｆｉモジュール２３５を介して、他の通信機器と直接通信を行ってもよいし、アクセスポイント経由で通信を行ってもよい。
【００３７】
Ｂｌｕｅｔｏｏｔｈモジュール２４０（通信部）は、通信規格８０２．１５．１すなわち、Ｂｌｕｅｔｏｏｔｈに準拠した通信を行う通信モジュールである。Ｂｌｕｅｔｏｏｔｈモジュール２４０は、比較的通信ビットレートが高く、通信エリアが数メートル以上である通信が可能である。本実施の形態では、Ｂｌｕｅｔｏｏｔｈモジュール２４０は、ＢＬＥ（Ｂｌｕｅｔｏｏｔｈ  Ｌｏｗ  Ｅｎｅｒｇｙ）と呼ばれる省電力機能を備え、長時間使用に適するバージョン４．０と、電波到達距離が長く家中にしっかり電波が届くＣｌａｓｓ１をサポートする。
【００３８】
フラッシュメモリ（以下単に「メモリ」という。）２４５は、スマートフォン２００で撮影した画像データ等を格納する。
【００３９】
なお、スマートフォン２００は、電話機能やインターネット通信機能やカメラ機能を備えていてもよい。
【００４０】
［２．動作］
図４は、スマートフォンとデジタルカメラとの間で実現されるＷｉ−Ｆｉ接続動作を示すシーケンス図である。
【００４１】
以下に図４を用いてスマートフォン２００がデジタルカメラ１００に対して所望のネットワーク構成を設定させ、スマートフォン２００とデジタルカメラ１００との間でＷｉ−Ｆｉ接続を確立させる動作について説明する。
【００４２】
まずスマートフォン２００の使用者は、スマートフォン２００のＢｌｕｅｔｏｏｔｈ機能をオンする（ステップＳ４０）。
【００４３】
次にステップＳ４１において、スマートフォン２００のコントローラ２２５は使用者の指示に従い、デジタルカメラ１００を起動させるために、スマートフォン２００のＢｌｕｅｔｏｏｔｈモジュール１６０を用いてＷａｋｅＵｐ信号をデジタルカメラ１００に送る。デジタルカメラ１００はＷａｋｅＵｐ信号を受けて電源をオンして自動起動する（ステップＳ４２）。
【００４４】
次にステップＳ４３において、スマートフォン２００は自身の通信形態に応じて接続情報（接続形態情報、接続ＩＤ（Ｉｄｅｎｔｉｆｉｃａｔｉｏｎ））を生成する。図５は、スマートフォンの通信形態に応じて接続形態情報を生成する動作を示すフローチャートである。図５の処理はスマートフォン２００のコントローラ２２５の通信制御アプリ２２６を用いて実現される。
【００４５】
図５のステップＳ５１では、コントローラ２２５は自装置（スマートフォン２００）がＡＰ（アクセスポイント）として動作しているかを確認し、そうであると判断すれば（ステップＳ５１でＹＥＳ）、通信相手であるデジタルカメラ１００をＳＴＡ（ステーション）に設定する（ステップＳ５４）。このケースは、図６のケース（ｃ）に該当し、スマートフォン２００がテザリングモードで動作している状態である。
【００４６】
ステップＳ５１においてコントローラ２２５は自装置がＡＰ（アクセスポイント）として動作していない（ステップＳ５１でＮＯ）と判断すれば、ステップＳ５２に移行する。ステップＳ５２では、コントローラ２２５は他の機器がＡＰとして動作しているかを確認し、そうであると判断すれば（ステップＳ５２でＹＥＳ）、通信相手であるデジタルカメラ１００をＳＴＡに設定する（ステップＳ５４）。このケースは、図６のケース（ｂ）に該当し、スマートフォン２００がＷｉ−Ｆｉの無線ＡＰ３００に接続されている状態である。ステップＳ５２においてコントローラ２２５は他の機器がＡＰとして動作していない（ステップＳ５２でＮＯ）と判断すれば、通信相手であるデジタルカメラ１００をＡＰに設定する（ステップＳ５３）。このケースは、図６のケース（ａ）に該当し、スマートフォン２００がＷｉ−Ｆｉを使用していない状態である。以上の動作を経て図７に示す接続形態情報が得られる。
【００４７】
図４に戻って、ステップＳ４４では、スマートフォン２００はＢｌｕｅｔｏｏｔｈモジュール１６０を用いて接続情報をデジタルカメラ１００に送信する。ここで接続情報は第２の通信を確立するために必要な接続ＩＤ（ＳＳＩＤ）と、デジタルカメラ１００にネットワーク構成の設定を行わせるために必要な接続形態情報を含む。なお、デジタルカメラ１００がＡＰとなる場合には、接続情報に接続ＩＤが含まれなくてもよい。接続形態情報は、図７に示すデジタルカメラ１００と無線ＡＰ３００のペアの情報である。例えば、Ｗｉ−Ｆｉ接続前のスマートフォンの通信形態が図６のケース（ａ）の場合は、接続形態情報１０は（デジタルカメラ１００：ＡＰ，無線ＡＰ３００：なし）である。Ｗｉ−Ｆｉ接続前のスマートフォンの通信形態が図６のケース（ｂ）の場合は、接続形態情報２０は（デジタルカメラ１００：ＳＴＡ，無線ＡＰ３００：ある）である。Ｗｉ−Ｆｉ接続前のスマートフォンの通信形態が図６のケース（ｃ）の場合は、接続形態情報３０は（デジタルカメラ１００：ＳＴＡ，無線ＡＰ３００：なし）である。なお、接続形態情報に図７に示すような、スマートフォン２００がＡＰ及びＳＴＡのいずれであるかを示す情報を加えてもよい。
【００４８】
そしてステップＳ４５において、デジタルカメラ１００のコントローラ１３５は、受信した接続形態情報を読み取り、デジタルカメラ１００の設定すべきネットワーク構成を決定する。
【００４９】
ステップＳ４６において、デジタルカメラ１００のコントローラ１３５は、ステップＳ４５で決定したネットワーク構成が形成されるようにデジタルカメラ１００にＳＳＩＤとＷＰＡキーを用いてスマートフォン２００又は他の無線ＡＰ３００に対してＷｉ−Ｆｉ接続を確立させる。
【００５０】
なお、本実施の形態では、図４のシーケンスを開始する前にデジタルカメラ１００はＷｉ−Ｆｉに接続されたことがあり、スマートフォン２００からＷｉ−Ｆｉ通信を確立するために必要なＷＰＡキーを取得し、デジタルカメラ１００のＲＯＭに記憶しているとする。
【００５１】
また、デジタルカメラ１００は無線ＡＰ３００に対してＷｉ−Ｆｉ接続の履歴があり、他の無線ＡＰ３００に対してＷｉ−Ｆｉ接続を確立するために必要なＳＳＩＤとＷＰＡキーはＲＯＭに記憶されているとする。
【００５２】
図８は、デジタルカメラがＷｉ−Ｆｉ接続を確立した後のネットワーク構成を示す図である。Ｗｉ−Ｆｉ接続前の図６のケース（ａ）は、Ｗｉ−Ｆｉ接続が確立された後、図８のケース（ａ）のように、デジタルカメラ１００がＡＰとして動作する。Ｗｉ−Ｆｉ接続前の図６のケース（ｂ）は、Ｗｉ−Ｆｉ接続が確立された後、図８のケース（ｂ）のように、デジタルカメラ１００がスマートフォン２００と同じ無線ＡＰ３００に接続する。Ｗｉ−Ｆｉ接続前の図６のケース（ｃ）は、Ｗｉ−Ｆｉ接続が確立された後、図８のケース（ｃ）のように、デジタルカメラ１００がＡＰとして動作するスマートフォン２００に接続する。なお図８（ｂ）の場合は、デジタルカメラ１００がスマートフォン２００とＷｉ−Ｆｉ通信する場合、直接ではなく無線ＡＰ３００を介して通信は実行される。
【００５３】
従来のＢＴ通信を用いたリモート起動方式のデジタルカメラは、自身がアクセスポイントとして動作してスマートフォンとＷｉ‐Ｆｉ通信が可能であった。したがって、スマートフォンは、デジタルカメラとＷｉ−Ｆｉ通信する場合、デジタルカメラとだけＷｉ−Ｆｉ通信が可能であり、例えば無線アクセスポイントを経由するインターネット通信はできなかった。またスマートフォンがいわゆるテザリングモードで動作中の場合、スマートフォンはアクセスポイントとして設定されているため、スマートフォンとデジタルカメラとはＷｉ−Ｆｉ通信できなかった。本実施の形態では、リモート起動方式を用いてもスマートフォン２００は、デジタルカメラ１００に対して所望のネットワーク構成を設定させることができる。つまり、スマートフォン２００の多様な通信形態に応じて、デジタルカメラ１００をアクセスポイント及びステーションの一方に設定できる。そのため、スマートフォン２００は、図８のケース（ｂ）のように、デジタルカメラ１００と無線アクセスポイント（無線ＡＰ）３００を介してＷｉ-Ｆｉ通信している状態で、無線ＡＰ３００を介してインターネット通信が可能となる。あるいは、スマートフォン２００がテザリングモードで動作中も、スマートフォン２００とデジタルカメラ１００とはＷｉ−Ｆｉ通信できる。
【００５４】
［３．まとめ］
以上のように、情報装置（スマートフォン２００）は、スマートフォン２００の通信形態に応じて接続情報を生成するコントローラ２２５（接続情報生成部）と、通信装置（デジタルカメラ１００）に対して第１の通信（ＢＴ−ＬＥ通信）を介して接続情報を送る通信部（Ｂｌｕｅｔｏｏｔｈモジュール２４０）と、を備える。上記接続情報は、第２の通信（Ｗｉ−Ｆｉ通信）を確立するために必要な接続ＩＤ（ＳＳＩＤ）と、デジタルカメラ１００にネットワーク構成の設定を行わせるために必要な接続形態情報を含む。
【００５５】
これにより、スマートフォン２００は、デジタルカメラ１００に対して所望のネットワーク構成を設定させることができる。
【００５６】
同様に、通信装置（デジタルカメラ１００）は、第１の通信（ＢＴ−ＬＥ通信）を介して情報装置（スマートフォン２００）から接続情報を受信する通信部（Ｂｌｕｅｔｏｏｔｈモジュール１６０）と、通信部で受信した接続情報に応じてスマートフォン２００と第２の通信（Ｗｉ−Ｆｉ通信）を開始するコントローラ１３５とを備える。上記接続情報は、Ｗｉ−Ｆｉ通信を確立するために必要な接続ＩＤ（ＳＳＩＤ）と、デジタルカメラ１００にネットワーク構成の設定を行わせるために必要な接続形態情報を含む。
【００５７】
これにより、デジタルカメラ１００は、スマートフォン２００が所望するネットワーク構成を自身に設定することができる。
【００５８】
また通信装置（デジタルカメラ１００）の通信方法は、情報装置（スマートフォン２００）と第１の通信（ＢＴ−ＬＥ通信）及び第２の通信（Ｗｉ‐Ｆｉ通信）を介して通信可能な通信装置の通信方法である。この通信装置の通信方法は、通信装置が、情報装置から第１の通信を介して起動信号を受けて起動し、自身がアクセスポイント及びステーションのいずれで動作するかを選択して情報装置と第２の通信を行う。
【００５９】
これによりデジタルカメラ１００は、スマートフォン２００が所望するネットワーク構成を自身に設定することができる。
【００６０】
［他の実施の形態］
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した構成要素を組み合わせて、新たな実施の形態とすることも可能である。
【００６１】
そこで、以下、他の実施の形態を例示する。
【００６２】
実施の形態１においてスマートフォン２００がＡＰとなっている場合（つまり上記図６のケース（ｃ）の場合）でも、スマートフォン２００の通信制御アプリ２２６は自身がＡＰであることを検出できない場合がある。又は、ＯＳ（Ｏｐｅｒａｔｉｏｎ  Ｓｙｓｔｅｍ）の種類によっては、スマートフォン２００がテザリングモードにある状態で既に他の機器をＳＴＡとしてＷｉ−Ｆｉ接続している場合、さらにＳＴＡを追加してＷｉ−Ｆｉ接続できない場合がある。このような場合には、スマートフォン２００は、デジタルカメラ１００をＡＰとする接続形態情報を送る。つまり、スマートフォン２００がＡＰの場合でもデジタルカメラ１００をＡＰとする図８のケース（ａ）の形態で接続することにする。
【００６３】
また実施の形態１では、図５のステップＳ５２で他の機器がＡＰとして設定されていないと判断された場合（ステップＳ５２でＮＯ）、図８のケース（ａ）に示すように、スマートフォン２００をＳＴＡとして設定し、デジタルカメラをＡＰとして設定したが、スマートフォン２００をＡＰとして設定し、デジタルカメラ１００をＳＴＡとして設定してもよい。図８のケース（ａ）に示すように、スマートフォン２００をＳＴＡに設定する場合は、複数のスマートフォン２００がデジタルカメラ１００に対してＷｉ−Ｆｉ通信可能であり、多様な用途に有用である。つまりスマホーフォン２００がＳＴＡであれば、複数のスマートフォン２００とデジタルカメラ１００とを対応付ける際に便利である。例えば集合写真を撮影する場合を想定すると、デジタルカメラ１００をＡＰとすれば、複数の人のスマートフォンをＳＴＡとすることで、複数の人が同時に写真を取得できる。ただし、複数のデジタルカメラ１００とスマートフォン２００とを通信させるなど特殊な用途があれば、スマートフォンをＡＰ、デジタルカメラ１００をＳＴＡに設定してもよい。
【００６４】
また実施の形態１においてＷｉ−Ｆｉの接続時にＷＰＡキーの入力を省くため、Ｗｉ−Ｆｉの事前接続によりにＷＰＡキーを保存することにした。上記図６のケース（ｂ）の場合において、デジタルカメラ１００はスマートフォン２００が接続している無線ＡＰ３００に接続したことがない場合、スマートフォン２００とデジタルカメラ１００のＷｉ−Ｆｉの事前接続があれば、デジタルカメラ１００はデジタルカメラ１００をＡＰとする図８のケース（ａ）の形態で接続することにする。なお、スマートフォン２００は、ＯＳ管理のＷＰＡキーを取得できれば、ＢＴ−ＬＥを介してＷＰＡキーを送信可能である。つまりスマートフォン２００のＯＳの種類によっては、第１の通信（ＢＴ−ＬＥ）を介してＷＰＡキーを送受可能である。したがって、スマートフォン２００の種類に応じて、デジタルカメラ１００と無線ＡＰ３００との事前接続が無くてもデジタルカメラ１００が無線ＡＰ３００をアクセスポイントとしてＷｉ−Ｆｉ接続できるようにしてもよい。あるいは、スマートフォン２００の種類に応じて、デジタルカメラ１００とスマートフォン２００との事前接続が無くてもデジタルカメラ１００がスマートフォン２００をアクセスポイントとしてＷｉ−Ｆｉ接続できるようにしてもよい。
【００６５】
実施の形態１では、情報装置としてスマートフォン２００を用い、通信装置としてデジタルカメラ１００を用いた。しかし、情報装置および通信装置は、複数種類の通信手段（たとえば、ＢＴ−ＬＥ通信、Ｗｉ−Ｆｉ通信など）を備えておれば、他の電子機器でもよい。他の電子機器としては、ＰＣ（Ｐｅｒｓｏｎａｌ  Ｃｏｍｐｕｔｅｒ）やタブレット端末などが挙げられる。また実施の形態１では、通信装置としてデジタルカメラを例に挙げたが、たとえばドライブレコーダや家電、他のモバイル端末、ＩＯＴ（Ｉｎｔｅｒｎｅｔ  ｏｆ  Ｔｈｉｎｇｓ）が搭載された電子機器等であってもよい。家電とは、冷蔵庫や電子レンジ、空調機器等を含む。また、他のモバイル端末には、例えば心拍数・呼吸数・血圧・体温等のバイタルサインを取得するモバイル端末が挙げられる。これらの通信装置のうち、通信装置自体が固定されていないモバイル端末であること、さらに通信装置と情報装置との間で送受信するデータが比較的大きいこと、さらに通信装置と情報装置との間の距離が起動信号を送受信できる程度の距離であること、などの条件を満たす通信装置は、より実施の形態１の通信装置として適している。
【００６６】
実施の形態１では、情報装置と通信装置との間でＢＴ−ＬＥ通信を用いて起動信号の送受信を行ったが、通信手段はＢＴ−ＬＥ通信に限られない。情報装置及び通信装置に備わる通信手段であれば、代替の通信手段はＢｌｕｅｔｏｏｔｈやＮＦＣ（Ｎｅａｒ  Ｆｉｅｌｄ  Ｃｏｍｍｕｎｉｃａｔｉｏｎ）等であってもよい。つまり、情報装置の通信部はＢｌｕｅｔｏｏｔｈモジュール２４０以外の無線通信モジュールであってもよい。通信装置の通信部は、Ｂｌｕｅｔｏｏｔｈモジュール１６０以外の無線通信モジュールであってもよい。
【産業上の利用可能性】
【００６７】
本開示は、通信相手に対して所望のネットワーク構成を設定したい情報装置に適用可能である。具体的には、ＰＣやタブレット端末などに、本開示は適用可能である。
【符号の説明】
【００６８】
１０，２０，３０    接続形態情報
１００    デジタルカメラ（通信装置）
１２０    画像処理部
１２５    バッファメモリ
１３０    液晶モニタ
１３５    コントローラ
１３６    通信制御アプリ
１４５    メモリカード
１４７    二次電池
１５０    操作部
１５５    Ｗｉ−Ｆｉモジュール
１６０    Ｂｌｕｅｔｏｏｔｈモジュール（通信部）
２００    スマートフォン（情報装置）
２０５    画像処理部
２１５    液晶モニタ
２２０    バッファメモリ
２２５    コントローラ
２２６    通信制御アプリ
２３０    操作部
２３５    Ｗｉ−Ｆｉモジュール
２４０    Ｂｌｕｅｔｏｏｔｈモジュール（通信部）
３００    無線ＡＰ
【図１】
2018133793.tif 000003
【図２】
2018133793.tif 000004
【図３】
2018133793.tif 000005
【図４】
2018133793.tif 000006
【図５】
2018133793.tif 000007
【図６】
2018133793.tif 000008
【図７】
2018133793.tif 000009
【図８】
2018133793.tif 000010